(57)【要約】【課題】メッセージの伝達からそれに対するお礼の伝達までを円滑に行なうことができる情報伝達システムを提供する。【解決手段】情報伝達システム１は、ユーザ端末２と、結婚式が行なわれるホテルのホテル端末３と、情報管理サーバ４と、新郎新婦端末５とによって構成されている。ユーザ端末２は、インターネット６を介してお祝い情報をホテル端末３へ送信するお祝い情報送信手段７と、ユーザの情報をホテル端末３へ送信するユーザ情報送信手段８とを備えている。ホテル端末３は、ユーザ情報受信手段９と、お祝い情報受信手段１０と、ユーザ情報を情報管理サーバ４へインターネット６を介して転送するユーザ情報転送手段１１と、お祝い情報を情報管理サーバ４へ転送するお祝い情報転送手段１２と、結婚式情報を情報管理サーバ４へ送信する結婚式情報送信手段１３と、商品データベース２７を備えている。【選択図】図１
2007328666.tif 000002
【特許請求の範囲】
【請求項１】
ユーザ端末と、クライアント端末と、情報管理サーバと、被伝達者端末とによって情報を伝達する情報伝達システムであって、
前記ユーザ端末は、ユーザ情報を前記クライアント端末へ通信回線を介して送信するユーザ情報送信手段と、
被伝達者への伝達情報を前記クライアント端末へ通信回線を介して送信する伝達情報送信手段とを備え、
前記クライアント端末は、前記ユーザ情報送信手段から通信回線を介して送信されるユーザ情報を受信するユーザ情報受信手段と、
前記伝達情報送信手段から通信回線を介して送信される前記伝達情報を受信する伝達情報受信手段と、
前記ユーザ情報受信手段によって受信したユーザ情報を前記情報管理サーバへ通信回線を介して転送するユーザ情報転送手段と、
前記伝達情報受信手段によって受信した前記伝達情報を前記情報管理サーバへ通信回線を介して転送する伝達情報転送手段とを備え、
前記情報管理サーバは、前記ユーザ情報転送手段から転送されるユーザ情報を受信すると共に記録するユーザ情報記録手段と、
前記伝達情報転送手段から転送される前記伝達情報を受信すると共に記録する伝達情報記録手段と、
前記伝達情報記録手段に記録された前記伝達情報に基づいて伝達商品を作成すると共に同伝達商品を前記クライアント端末へ送付する伝達商品送付手段とを備え、
前記被伝達者端末は、前記伝達商品送付手段によって送付された前記伝達商品を前記クライアント端末から受け取ると共に、ユーザへの返礼情報を前記クライアント端末へ通信回線を介して送信する返礼情報送信手段を備え、
前記クライアント端末は、前記返礼情報送信手段によって送信された前記返礼情報を通信回線を介して前記情報管理サーバへ転送する返礼情報転送手段を備え、
前記情報管理サーバは、転送された前記返礼情報に基づいて返礼商品を作成し、同返礼商品を前記クライアント端末に納入する返礼商品納入手段を備え、
前記クライアント端末は、前記返礼商品納入手段によって納入された前記返礼商品を前記ユーザ端末へ送付する返礼商品送付手段を備えた
情報伝達システム。
【請求項２】
前記クライアント端末は、行事情報を前記情報管理サーバへ通信回線を介して送信する行事情報送信手段を備え、
前記情報管理サーバは、前記行事情報送信手段から行事情報を受信すると共に記録する行事情報記録手段を備えた
請求項１に記載の情報伝達システム。
【請求項３】
情報管理サーバを有する情報伝達システムであって、
前記情報管理サーバは、ユーザ端末から通信回線を介して受信したユーザ情報を通信回線を介してクライアント端末から受信すると共に記録するユーザ情報記録手段と、
ユーザ端末から通信回線を介して受信した被伝達者への伝達情報をクライアント端末から通信回線を介して受信すると共に記録する伝達情報記録手段と、
前記伝達情報記録手段に記録された前記伝達情報に基づいて伝達商品を作成すると共に同伝達商品をクライアント端末へ送付する伝達商品送付手段と、
前記伝達商品送付手段から送付された伝達商品をクライアント端末を介して受け取った被伝達者からユーザへの返礼情報を、クライアント端末から通信回線を介して受信すると共に、受信した前記返礼情報に基づいて返礼商品を作成して同返礼商品をクライアント端末へ納入する返礼商品納入手段とを備えた
情報伝達システム。
【請求項４】
前記情報管理サーバは、行事情報をクライアント端末から通信回線を介して受信すると共に記録する行事情報記録手段を備えた
請求項３に記載の情報伝達システム。
【請求項５】
ユーザ端末と、クライアント端末と、情報管理サーバと、被伝達者端末とによって情報を伝達する情報伝達システムであって、
前記ユーザ端末は、ユーザ情報を前記情報管理サーバへ通信回線を介して送信するユーザ情報送信手段と、
被伝達者への伝達情報を前記情報管理サーバへ通信回線を介して送信する伝達情報送信手段とを備え、
前記情報管理サーバは、前記ユーザ情報送信手段から送信されるユーザ情報を受信すると共に記録するユーザ情報記録手段と、
前記伝達情報送信手段から送信される被伝達者への伝達情報を受信すると共に記録する伝達情報記録手段と、
前記伝達情報記録手段に記録された前記伝達情報に基づいて伝達商品を作成すると共に同伝達商品を前記クライアント端末へ送付する伝達商品送付手段とを備え、
前記被伝達者端末は、前記伝達商品送付手段によって送付された前記伝達商品を前記クライアント端末から受け取ると共に、ユーザへの返礼情報を前記クライアント端末へ通信回線を介して送信する返礼情報送信手段を備え、
前記クライアント端末は、前記返礼情報送信手段によって送信された前記返礼情報を前記情報管理サーバへ通信回線を介して転送する返礼情報転送手段を備え、
前記情報管理サーバは、転送された前記返礼情報に基づいて返礼商品を作成し、同返礼商品を前記クライアント端末に納入する返礼商品納入手段を備え、
前記クライアント端末は、前記返礼商品納入手段によって納入された前記返礼商品を前記ユーザ端末へ送付する返礼商品送付手段を備えた
情報伝達システム。
【請求項６】
前記クライアント端末は、行事情報を前記情報管理サーバへ通信回線を介して送信する行事情報送信手段を備え、
前記情報管理サーバは、前記行事情報送信手段から行事情報を受信すると共に記録する行事情報記録手段を備えた
請求項５に記載の情報伝達システム。
【請求項７】
情報管理サーバを有する情報伝達システムであって、
前記情報管理サーバは、ユーザ端末からユーザ情報を通信回線を介して受信すると共に記録するユーザ情報記録手段と、
被伝達者への伝達情報をユーザ端末から通信回線を介して受信すると共に記録する伝達情報記録手段と、
前記伝達情報記録手段に記録された前記伝達情報に基づいて伝達商品を作成すると共に同伝達商品をクライアント端末へ送付する伝達商品送付手段と、
前記伝達商品送付手段から送付された伝達商品をクライアント端末を介して受け取った被伝達者からユーザへの返礼情報を、クライアント端末から通信回線を介して受信すると共に、受信した前記返礼情報に基づいて返礼商品を作成して同返礼商品をクライアント端末へ納入する返礼商品納入手段とを備えた
情報伝達システム。
【請求項８】
前記情報管理サーバは、行事情報をクライアント端末から通信回線を介して受信すると共に記録する行事情報記録手段を備えた
請求項７に記載の情報伝達システム。
【発明の詳細な説明】
【技術分野】
【０００１】
本発明は情報伝達システムに関する。詳しくは、結婚式や誕生日等におけるお祝いメッセージや葬儀等におけるお悔やみメッセージ等の情報を伝達する情報伝達システムに係るものである。
【背景技術】
【０００２】
お祝いメッセージ（祝電）やお悔やみメッセージ（弔電）は、従来、電報サービス会社に利用者が電話やファクシミリ等で申し込み、希望の台紙にメッセージ文章が印字されたものとなって受取人へ配送されている。
【０００３】
また、インターネットの普及に伴い、パーソナルコンピュータ等の情報端末よりメッセージを送る様々な方法が提案されている。例えば特許文献１には、顧客の入力端末から少なくとも顧客情報、送信先情報、任意の静止画及び電報文からなる電報情報を入力し、入力された電報情報をネットワークを介して受け付け、電報情報に基づいて電報を編集し、用紙に出力し、送信先情報に基づいて配達する方法が記載されている。また、例えば特許文献２には、写真等のイメージデータと音声等の音データを有するメッセージカードを、ネットワーク回線を介して作成し、配送先へ配送するシステムが記載されている。
【０００４】
【特許文献１】特開平１１−２７４１２号公報
【特許文献２】特開２０００−１７２６１５号公報
【発明の開示】
【発明が解決しようとする課題】
【０００５】
しかしながら、従来の方法では、結婚式や告別式等が終了した後に新郎新婦や喪主等が、お祝いのメッセージカードやお悔やみのメッセージカード等の送付者に対して礼状を送る場合の配慮がなされておらず、メッセージカード等の送付から、メッセージカード等を受け取った受取人による返礼までの総合的なシステムが要望されていた。
【０００６】
本発明は、以上の点に鑑みて創案されたものであり、メッセージの伝達からそれに対するお礼の伝達までを円滑に行なうことができる情報伝達システムを提供することを目的とする。
【課題を解決するための手段】
【０００７】
上記の目的を達成するために、本発明の情報伝達システムは、ユーザ端末と、クライアント端末と、情報管理サーバと、被伝達者端末とによって情報を伝達する情報伝達システムであって、前記ユーザ端末は、ユーザ情報を前記クライアント端末へ通信回線を介して送信するユーザ情報送信手段と、被伝達者への伝達情報を前記クライアント端末へ通信回線を介して送信する伝達情報送信手段とを備え、前記クライアント端末は、前記ユーザ情報送信手段から通信回線を介して送信されるユーザ情報を受信するユーザ情報受信手段と、前記伝達情報送信手段から通信回線を介して送信される前記伝達情報を受信する伝達情報受信手段と、前記ユーザ情報受信手段によって受信したユーザ情報を前記情報管理サーバへ通信回線を介して転送するユーザ情報転送手段と、前記伝達情報受信手段によって受信した前記伝達情報を前記情報管理サーバへ通信回線を介して転送する伝達情報転送手段とを備え、前記情報管理サーバは、前記ユーザ情報転送手段から転送されるユーザ情報を受信すると共に記録するユーザ情報記録手段と、前記伝達情報転送手段から転送される前記伝達情報を受信すると共に記録する伝達情報記録手段と、前記伝達情報記録手段に記録された前記伝達情報に基づいて伝達商品を作成すると共に同伝達商品を前記クライアント端末へ送付する伝達商品送付手段とを備え、前記被伝達者端末は、前記伝達商品送付手段によって送付された前記伝達商品を前記クライアント端末から受け取ると共に、ユーザへの返礼情報を前記クライアント端末へ通信回線を介して送信する返礼情報送信手段を備え、前記クライアント端末は、前記返礼情報送信手段によって送信された前記返礼情報を通信回線を介して前記情報管理サーバへ転送する返礼情報転送手段を備え、前記情報管理サーバは、転送された前記返礼情報に基づいて返礼商品を作成し、同返礼商品を前記クライアント端末に納入する返礼商品納入手段を備え、前記クライアント端末は、前記返礼商品納入手段によって納入された前記返礼商品を前記ユーザ端末へ送付する返礼商品送付手段を備えたものである。
【０００８】
ここで、情報管理サーバのユーザ情報記録手段によって、クライアントは、伝達情報を送信したユーザの情報を一括して管理でき、また、被伝達者がお礼をする際には、一括して管理されたユーザ情報を利用することができる。また、情報管理サーバの伝達情報記録手段によって伝達情報も記録されているので、ユーザ情報と対応させて、どのユーザがどのような伝達情報を送信したかが判る。
【０００９】
また、本発明の情報伝達システムにおいて、クライアント端末は、行事情報を情報管理サーバへ通信回線を介して送信する行事情報送信手段を備え、情報管理サーバは、行事情報送信手段から行事情報を受信すると共に記録する行事情報記録手段を備えた場合、ユーザはクライアント端末や情報管理サーバにアクセスするだけで、ユーザがお祝いメッセージを送る相手の結婚式やお悔やみメッセージを送る相手の葬儀等の情報を知ることができる。
【００１０】
また、上記の目的を達成するために、本発明の情報伝達システムは、情報管理サーバを有する情報伝達システムであって、前記情報管理サーバは、ユーザ端末から通信回線を介して受信したユーザ情報を通信回線を介してクライアント端末から受信すると共に記録するユーザ情報記録手段と、ユーザ端末から通信回線を介して受信した被伝達者への伝達情報をクライアント端末から通信回線を介して受信すると共に記録する伝達情報記録手段と、前記伝達情報記録手段に記録された前記伝達情報に基づいて伝達商品を作成すると共に同伝達商品をクライアント端末へ送付する伝達商品送付手段と、前記伝達商品送付手段から送付された伝達商品をクライアント端末を介して受け取った被伝達者からユーザへの返礼情報を、クライアント端末から通信回線を介して受信すると共に、受信した前記返礼情報に基づいて返礼商品を作成して同返礼商品をクライアント端末へ納入する返礼商品納入手段とを備えたものである。
【００１１】
ここで、情報管理サーバのユーザ情報記録手段によって、クライアントは、伝達情報を送信したユーザの情報を一括して管理でき、また、被伝達者がお礼をする際には、一括して管理されたユーザ情報を利用することができる。また、情報管理サーバの伝達情報記録手段によって伝達情報も記録されているので、ユーザ情報と対応させて、どのユーザがどのような伝達情報を送信したかが判る。
【００１２】
更に、上記の目的を達成するために、本発明の情報伝達システムは、ユーザ端末と、クライアント端末と、情報管理サーバと、被伝達者端末とによって情報を伝達する情報伝達システムであって、前記ユーザ端末は、ユーザ情報を前記情報管理サーバへ通信回線を介して送信するユーザ情報送信手段と、被伝達者への伝達情報を前記情報管理サーバへ通信回線を介して送信する伝達情報送信手段とを備え、前記情報管理サーバは、前記ユーザ情報送信手段から送信されるユーザ情報を受信すると共に記録するユーザ情報記録手段と、前記伝達情報送信手段から送信される被伝達者への伝達情報を受信すると共に記録する伝達情報記録手段と、前記伝達情報記録手段に記録された前記伝達情報に基づいて伝達商品を作成すると共に同伝達商品を前記クライアント端末へ送付する伝達商品送付手段とを備え、前記被伝達者端末は、前記伝達商品送付手段によって送付された前記伝達商品を前記クライアント端末から受け取ると共に、ユーザへの返礼情報を前記クライアント端末へ通信回線を介して送信する返礼情報送信手段を備え、前記クライアント端末は、前記返礼情報送信手段によって送信された前記返礼情報を前記情報管理サーバへ通信回線を介して転送する返礼情報転送手段を備え、前記情報管理サーバは、転送された前記返礼情報に基づいて返礼商品を作成し、同返礼商品を前記クライアント端末に納入する返礼商品納入手段を備え、前記クライアント端末は、前記返礼商品納入手段によって納入された前記返礼商品を前記ユーザ端末へ送付する返礼商品送付手段を備えたものである。
【００１３】
ここで、情報管理サーバのユーザ情報記録手段によって、クライアントは、伝達情報を送信したユーザの情報を一括して管理でき、また、被伝達者がお礼をする際には、一括して管理されたユーザ情報を利用することができる。また、情報管理サーバの伝達情報記録手段によって伝達情報も記録されているので、ユーザ情報と対応させて、どのユーザがどのような伝達情報を送信したかが判る。
【００１４】
また、上記の目的を達成するために、本発明の情報伝達システムは、情報管理サーバを有する情報伝達システムであって、前記情報管理サーバは、ユーザ端末からユーザ情報を通信回線を介して受信すると共に記録するユーザ情報記録手段と、被伝達者への伝達情報をユーザ端末から通信回線を介して受信すると共に記録する伝達情報記録手段と、前記伝達情報記録手段に記録された前記伝達情報に基づいて伝達商品を作成すると共に同伝達商品をクライアント端末へ送付する伝達商品送付手段と、前記伝達商品送付手段から送付された伝達商品をクライアント端末を介して受け取った被伝達者からユーザへの返礼情報を、クライアント端末から通信回線を介して受信すると共に、受信した前記返礼情報に基づいて返礼商品を作成して同返礼商品をクライアント端末へ納入する返礼商品納入手段とを備えたものである。
【００１５】
ここで、情報管理サーバのユーザ情報記録手段によって、クライアントは、伝達情報を送信したユーザの情報を一括して管理でき、また、被伝達者がお礼をする際には、一括して管理されたユーザ情報を利用することができる。また、情報管理サーバの伝達情報記録手段によって伝達情報も記録されているので、ユーザ情報と対応させて、どのユーザがどのような伝達情報を送信したかが判る。
【発明の効果】
【００１６】
本発明に係る情報伝達システムによって、メッセージの伝達からそれに対するお礼の伝達までを円滑に行なうことができるようになる。
【発明を実施するための最良の形態】
【００１７】
以下、本発明の実施の形態について図面を参照しながら説明し、本発明の理解に供する。図１は、本発明の情報伝達システムの一構成例を説明する概略図である。
図１において、本発明の情報伝達システム１は、ユーザ端末２と、結婚式が行なわれるホテルのホテル端末（クライアント端末の一例である。）３と、情報管理サーバ４と、新郎新婦端末（被伝達者端末の一例である。）５とによって構成されている。
ここで、ユーザ端末２は、インターネット（通信回線の一例である。）６を介して受取人（被伝達者）である新郎新婦への伝達情報（お祝い情報）例えば新郎新婦への祝福の文章、祝福の文章を飾る台紙の種類、新郎新婦へ送る金券の種類をホテル端末３へ送信するお祝い情報送信手段（伝達情報送信手段の一例である。）７と、インターネット６を介してユーザの情報例えば、ユーザの氏名、住所、電話番号、電子メールアドレスをホテル端末３へ送信するユーザ情報送信手段８とを備えている。
【００１８】
また、ホテル端末３は、ユーザ情報送信手段８からインターネット６を介して送信されるユーザ情報を受信するユーザ情報受信手段９と、お祝い情報送信手段７からインターネット６を介して送信されるお祝い情報を受信するお祝い情報受信手段１０と、ユーザ情報受信手段９によって受信したユーザ情報を情報管理サーバ４へインターネット６を介して転送するユーザ情報転送手段１１と、お祝い情報受信手段によって受信したお祝い情報を情報管理サーバ４へインターネット６を介して転送するお祝い情報転送手段１２と、結婚式情報例えば新郎新婦の氏名、結婚式の場所と日時を情報管理サーバ４へインターネット６を介して送信する結婚式情報送信手段（行事情報送信手段の一例である。）１３と、祝福の文章を飾る様々な台紙や新郎新婦へ送る様々な金券等が記録された商品データベース２７を備えている。
また、ユーザ端末２からお祝い情報をホテル端末３へ送信する際には、ホテル端末３の商品データベース２７に記録された台紙や金券等から希望のものを選択してホテル端末３へ選択した情報を送信したり、ユーザが希望する画像（静止画または動画）データ等を送信したりする。
【００１９】
また、情報管理サーバ４は、ユーザ情報転送手段１１から転送されるユーザ情報を受信すると共に記録するユーザ情報記録手段１４と、お祝い情報転送手段１２から転送されるお祝い情報を受信すると共に記録するお祝い情報記録手段１５と、結婚式情報送信手段１３から結婚式情報を受信すると共に記録する結婚式情報記録手段１６と、お祝い情報記録手段１５に記録されたお祝い情報に基づいてお祝い商品（伝達商品）例えばメッセージカードやメッセージ付き金券を作成すると共にお祝い商品データをホテル端末へ送信するお祝い商品送付手段（伝達商品送付手段の一例である。）１７とを備えている。
【００２０】
また、ホテル端末３は、お祝い商品送付手段１７から送信されるお祝い商品データを出力して得られるお祝い商品を新郎新婦端末５に提供する出力手段１８を備えている。ここで、お祝い商品を新郎新婦に提供できるのであれば、提供の形式はどのようなものでもよく、例えば電子データを新郎新婦の電子メールアドレス宛に送ったり、式場にてプロジェクタ等を用いて新郎新婦に見せたり、お祝い商品を新郎新婦に手渡したりしてよい。
また、新郎新婦端末５は、ホテル端末３から提供されたお祝い商品を受け取ると共に、ユーザへの返礼情報例えばお礼の文章、お礼の品をホテル端末３へインターネット６を介して送信する返礼情報送信手段１９を備えている。なお、新郎新婦端末５から返礼情報をホテル端末３へ送信する際には、ホテル端末３の商品データベース２７に記録された石鹸、タオル等から希望のものを選択してホテル端末３へ選択した情報を送信する。
【００２１】
また、ホテル端末３は、返礼情報送信手段１９によって送信された返礼情報をインターネット６を介して情報管理サーバ４へ転送する返礼情報転送手段２０を備えている。
また、情報管理サーバ４は、転送された返礼情報に基づいて返礼商品例えばお礼の文章が付されたタオルやカタログ等を作成し、返礼商品をホテル端末３に納入する返礼商品納入手段２１を備えている。
また、ホテル端末３は、返礼商品納入手段２１によって納入された返礼商品をユーザ端末へ送付する返礼商品送付手段２２を備えている。ここで、返礼商品をユーザに送付できるのであれば、送付の形式はどのようなものでもよく、例えば電子データをユーザの電子メールアドレス宛に送ったり、返礼商品をユーザの住所宛に送ったりしてよい。
【００２２】
また、通信回線であれば、必ずしもインターネットを用いなくてもよく、ＬＡＮ回線を用いてもよいし、回線は有線でも無線でもよい。また、情報管理サーバはホテルや葬儀社とは別の場所に設置されていてもよいし、ホテル内や葬儀社内に設置されていてもよい。
【００２３】
図２は、本発明の情報伝達システムを利用した場合のシステムの流れの一例を説明する概略フロー図である。
先ず、新郎新婦を祝福しようとしているユーザは、ユーザ端末からインターネットを介してホテルのホームページ（ホテル端末）にアクセスし、ユーザ情報及びお祝い情報例えば新郎新婦への祝福の文章、祝福の文章を飾る台紙の種類、新郎新婦へ送る金券の種類をホテルのホームページへ送信する（ステップＳ１）。そして、ユーザ情報及びお祝い情報を受信したホテル端末から情報管理サーバへ、ユーザ情報及びお祝い情報が転送されると共に、結婚式情報例えば新郎新婦の氏名、結婚式の場所と日時を情報管理サーバへインターネットを介して送信する（ステップＳ２）。
次に、情報管理サーバは、転送されたお祝い情報例えば新郎新婦への祝福の文章、祝福の文章を飾る台紙の種類、新郎新婦へ送る金券の種類に基づいてお祝い商品例えばメッセージカードやメッセージ付き金券を作成して、お祝い商品をホテル端末へ送付する（ステップＳ３）。
そして、ホテル端末へ送付されたお祝い商品は、ホテル端末から新郎新婦端末へと提供されて新郎新婦端末がお祝い商品を受領する（ステップＳ４）。
今度は、お祝い商品を受領した新郎新婦端末からユーザへの返礼情報例えばお礼の文章、お礼の品をホテル端末へインターネットを介して送信する（ステップＳ５）。そして、ホテル端末は受信した返礼情報を情報管理サーバへインターネットを介して転送し（ステップＳ６）、情報管理サーバは、転送された返礼情報に基づいて返礼商品例えばお礼の文章が付されたタオルやカタログ等を作成し、返礼商品をホテル端末に納入する（ステップＳ７）。
最後に、返礼商品を納入されたホテル端末は、納入された返礼商品をユーザ端末へ送付する（ステップＳ８）。
【００２４】
図３は、本発明の情報伝達システムの他の構成例を説明する概略図である。図３において、本発明の情報伝達システム１は、ユーザ端末２と、葬儀を執り行う葬儀社の葬儀社端末（クライアント端末の一例である。）２３と、情報管理サーバ４と、喪主端末（被伝達者端末の一例である。）５Ａとによって構成されている。
ここで、ユーザ端末２は、インターネット６を介して受取人（被伝達者）である喪主への伝達情報（お悔やみ情報）例えば喪主へのお悔やみの文章、お悔やみの文章を飾る台紙の種類、喪主へ送る金券の種類を情報管理サーバ４へ送信するお悔やみ情報送信手段（伝達情報送信手段の一例である。）２４と、インターネット６を介してユーザの情報例えば、ユーザの氏名、住所、電話番号、電子メールアドレスを情報管理サーバ４へ送信するユーザ情報送信手段８とを備えている。
【００２５】
また、葬儀社端末２３は、葬儀情報例えば喪主の氏名、葬儀の場所と日時を情報管理サーバ４へインターネット６を介して送信する葬儀情報送信手段（行事情報送信手段の一例である。）１３Ａと、お悔やみの文章を載せる様々な台紙や喪主へ送る様々な金券等が記録された商品データベース２７とを備えている。
【００２６】
また、情報管理サーバ４は、ユーザ情報送信手段８から送信されるユーザ情報を受信すると共に記録するユーザ情報記録手段１４と、葬儀情報送信手段１３Ａから葬儀情報を受信すると共に記録する葬儀情報記録手段１６Ａと、お悔やみ情報送信手段２４から送信されるお悔やみ情報を受信すると共に記録するお悔やみ情報記録手段２５と、お悔やみ情報記録手段２５に記録されたお悔やみ情報に基づいてお悔やみ商品（伝達商品）を作成すると共にお悔やみ商品を葬儀場端末２３へ送付するお悔やみ商品送付手段（伝達商品送付手段の一例である。）２６と、お悔やみの文章を載せる様々な台紙や喪主へ送る様々な金券等が記録された商品データベース２７とを備えている。
また、ユーザ端末２からお悔やみ情報を情報管理サーバ４へ送信する際には、情報管理サーバ４の商品データベース２７に記録された台紙や金券等から希望のものを選択して情報管理サーバ４へ選択した情報を送信したり、ユーザが希望する画像（静止画または動画）データ等を送信したりする。
【００２７】
また、葬儀社端末２３は、お悔やみ商品送付手段２６から送信されるお悔やみ商品データを出力して得られるお悔やみ商品を喪主端末５Ａに提供する出力手段１８を備えている。ここで、お悔やみ商品を喪主に提供できるのであれば、提供の形式はどのようなものでもよく、例えば電子データを喪主の電子メールアドレス宛に送ったり、葬儀場や家庭等にてプロジェクタ等を用いて喪主等に見せたり、お悔やみ商品を喪主に手渡したりしてよい。
【００２８】
また、喪主端末５Ａは、葬儀社端末２３から提供されたお悔やみ商品を受け取ると共に、ユーザへの返礼情報例えばお礼の文章、お礼の品を葬儀社端末２３へインターネット６を介して送信する返礼情報送信手段１９を備えている。なお、喪主端末５Ａから返礼情報を葬儀社端末２３へ送信する際には、葬儀社端末２３の商品データベース２７に記録された石鹸、タオル等から希望のものを選択して葬儀社端末２３へ選択した情報を送信する。
【００２９】
また、葬儀社端末２３は、返礼情報送信手段１９によって送信された返礼情報をインターネット６を介して情報管理サーバ４へ転送する返礼情報転送手段２０を備えている。
また、情報管理サーバ４は、転送された返礼情報に基づいて返礼商品例えばお礼の文章が付されたタオルやカタログ等を作成し、返礼商品を葬儀社端末２３に納入する返礼商品納入手段２１を備えている。
また、葬儀社端末２３は、返礼商品納入手段２１によって納入された返礼商品をユーザ端末へ送付する返礼商品送付手段２２を備えている。ここで、返礼商品をユーザに送付できるのであれば、送付の形式はどのようなものでもよく、例えば電子データをユーザの電子メールアドレス宛に送ったり、返礼商品をユーザの住所宛に送ったりしてよい。
【００３０】
図４は、本発明の情報伝達システムを利用した場合のシステムの流れの他の例を説明する概略フロー図である。
先ず、喪主に対し弔意を表そうとしているユーザは、ユーザ端末からインターネットを介して葬儀社のホームページ（葬儀社端末）にアクセスし、ユーザ情報及びお悔やみ情報を葬儀社のホームページへ送信する（ステップＳ１）。そして、ユーザ情報及びお悔やみ情報を受信した葬儀社端末から情報管理サーバへ、ユーザ情報及びお悔やみ情報が転送されると共に、葬儀情報例えば喪主の氏名、葬儀の場所と日時を情報管理サーバへインターネットを介して送信する（ステップＳ２）。
次に、情報管理サーバは、転送されたお悔やみ情報例えば喪主へのお悔やみの文章、お悔やみの文章を飾る台紙の種類、喪主へ送る金券の種類に基づいてお悔やみ商品例えばメッセージカードやメッセージ付き金券を作成して、お悔やみ商品を葬儀社端末へ送付する（ステップＳ３）。
そして、葬儀社端末へ送付されたお悔やみ商品は、葬儀社端末から喪主端末へと提供されて喪主端末がお悔やみ商品を受領する（ステップＳ４）。
今度は、お悔やみ商品を受領した喪主端末からユーザへの返礼情報例えばお礼の文章、お礼の品を葬儀社端末へインターネットを介して送信する（ステップＳ５）。そして、葬儀社端末は受信した返礼情報を情報管理サーバへインターネットを介して転送し（ステップＳ６）、情報管理サーバは、転送された返礼情報に基づいて返礼商品例えばお礼の文章が付されたタオルやカタログ等を作成し、返礼商品を葬儀社端末に納入する（ステップＳ７）。
最後に、返礼商品を納入された葬儀社端末は、納入された返礼商品をユーザ端末へ送付する（ステップＳ８）。
【００３１】
このように、本発明の情報伝達システムは、ホテルや葬儀社が、新郎新婦や喪主へお祝いメッセージやお悔やみメッセージを送るユーザに関する情報を受け、また、情報管理ザーバにはユーザに関する情報が記録されているので、ホテルや葬儀社は、お祝いやお悔やみを述べたユーザの情報を一括して管理でき、また、新郎新婦や喪主等がお礼をする際には、一括して管理されたユーザ情報を利用して、一括してユーザに対して返礼することができ、メッセージの伝達からそれに対するお礼の伝達までを円滑に行なうことができるようになる。
【００３２】
また、ホテル端末や葬儀社端末は商品データベースを備えているので、ユーザや受取人は、お祝い商品や返礼商品を商品データベースから選ぶことができる。
【００３３】
更に、ホテル端末や葬儀社端末は結婚式情報送信手段や葬儀情報記録手段によって結婚式情報や葬儀情報を情報管理サーバに送信し、情報管理サーバには結婚式情報記録手段や葬儀情報記録手段によって結婚式情報や葬儀情報が記録されているので、ユーザは、ホテルのホームページ、葬儀社のホームページ、または情報管理サーバにアクセスするだけで、ユーザがお祝いメッセージを送る相手の結婚式やお悔やみメッセージを送る相手の葬儀等の情報を知ることができる。
【００３４】
また、本発明の情報伝達システムを利用することで、ホテルや葬儀社は、ユーザから新郎新婦や喪主へのお祝いメッセージやお悔やみメッセージを受け付けると共に、新郎新婦や喪主からの返礼も受け付けることができるという点を広告することができる。
【図面の簡単な説明】
【００３５】
【図１】本発明の情報伝達システムの一構成例を説明する概略図である。
【図２】本発明の情報伝達システムを利用した場合のシステムの流れの一例を説明する概略フロー図である。
【図３】本発明の情報伝達システムの他の構成例を説明する概略図である。
【図４】本発明の情報伝達システムを利用した場合のシステムの流れの他の例を説明する概略フロー図である。
【符号の説明】
【００３６】
１    情報伝達システム
２    ユーザ端末
３    ホテル端末
４    情報管理サーバ
５    新郎新婦端末
５Ａ  喪主端末
６    インターネット
７    お祝い情報送信手段
８    ユーザ情報送信手段
９    ユーザ情報受信手段
１０    お祝い情報受信手段
１１    ユーザ情報転送手段
１２    お祝い情報転送手段
１３    結婚式情報送信手段
１３Ａ  葬儀情報送信手段
１４    ユーザ情報記録手段
１５    お祝い情報記録手段
１６    結婚式情報記録手段
１６Ａ  葬儀情報記録手段
１７    お祝い商品送付手段
１８    出力手段
１９    返礼情報送信手段
２０    返礼情報転送手段
２１    返礼商品納入手段
２２    返礼商品送付手段
２３    葬儀社端末
２４    お悔やみ情報送信手段
２５    お悔やみ情報記録手段
２６    お悔やみ商品送付手段
２７    商品データベース
【図１】
2007328666.tif 000003
【図２】
2007328666.tif 000004
【図３】
2007328666.tif 000005
【図４】
2007328666.tif 000006